【手続補正書】
【提出日】平成16年12月21日(2004.12.21)
【手続補正１】
【補正対象書類名】明細書
【補正対象項目名】特許請求の範囲
【補正方法】変更
【補正の内容】
【特許請求の範囲】
【請求項１】
アクティブ素子を有する基体上に、絶縁性材料からなる隔壁により隔てられた複数の画素電極を備えたアクティブマトリクス基板であって、
前記隔壁上の前記画素電極とは絶縁された位置に導電材料が配置されていることを特徴とするアクティブマトリクス基板。
【請求項２】
前記アクティブ素子が薄膜トランジスタであることを特徴とする請求項１記載のアクティブマトリクス基板。
【請求項３】
前記導電材料がストライプ状あるいは格子状に形成されてなることを特徴とする請求項１又は２記載のアクティブマトリクス基板。
【請求項４】
前記隔壁の上面に凹部が形成され、この凹部内に前記導電材料が設けられていることを特徴とする請求項１〜３のいずれかに記載のアクティブマトリクス基板。
【請求項５】
アクティブ素子の上方に平坦化膜が形成され、前記平坦化膜上に複数の画素電極が配置されていることを特徴とするアクティブマトリクス基板。
【請求項６】
請求項５に記載のアクティブマトリクス基板において、前記複数の画素電極は、絶縁性材料からなる隔壁により隔てられていることを特徴とするアクティブマトリクス基板。
【請求項７】
請求項６に記載のアクティブマトリクス基板において、前記隔壁上に導電材料が配置されていることを特徴とするアクティブマトリクス基板。
【請求項８】
請求項１〜７のいずれかに記載のアクティブマトリクス基板上に電気光学材料が配置されたことを特徴とする電気光学装置。
【請求項９】
請求項５乃至７のいずれかに記載のアクティブマトリクス基板上に有機エレクトロルミネッセンス材料を含む有機エレクトロルミネッセンス素子が配置され、前記有機エレクトロルミネッセンス素子の発した光が前記アクティブマトリクス基板とは反対側から取り出されることを特徴とする電気光学装置。
【請求項１０】
アクティブ素子を有する基体上に、絶縁性材料からなる隔壁により隔てられた複数の画素電極と、前記画素電極上に配置された発光層を含む積層体と、前記積層体上に配置された対向電極と、を備えた電気光学装置であって、
前記隔壁上には、前記画素電極とは絶縁された導電部が配置され、該導電部は前記対向電極と接続されていることを特徴とする電気光学装置。
【請求項１１】
前記アクティブ素子が薄膜トランジスタであることを特徴とする請求項１０記載の電気光学装置。
【請求項１２】
前記導電部がストライプ状あるいは格子状に形成されてなることを特徴とする請求項１０又は１１記載の電気光学装置。
【請求項１３】
前記発光層は有機エレクトロルミネッセンス材料を含むことを特徴とする請求項１０〜１２のいずれかに記載の電気光学装置。
【請求項１４】
前記導電部の形成材料は、前記対向電極の形成材料より導電性が高い材料であることを特徴とする請求項１０〜１３のいずれかに記載の電気光学装置。
【請求項１５】
前記隔壁の上面に凹部が形成され、この凹部内に前記導電部が形成されてなることを特徴とする請求項１０〜１４のいずれかに記載の電気光学装置。
【請求項１６】
前記発光層の、前記画素電極と前記対向電極のうちの陽極として機能する電極側に、正孔注入層又は正孔輸送層が設けられてなることを特徴とする請求項１０〜１５のいずれかに記載の電気光学装置。
【請求項１７】
前記対向電極は、複数の材料を積層して形成されることを特徴とする請求項１０〜１６のいずれかに記載の電気光学装置。
【請求項１８】
前記発光層からの光は対向電極側を経由して取り出されることを特徴とする請求項１０〜１７のいずれかに記載の電気光学装置。
【請求項１９】
前記画素電極がアクティブ素子上に配置されていることを特徴とする請求項１８記載の電気光学装置。
【請求項２０】
前記アクティブ素子上に平坦化膜が形成され、この平坦化膜上に画素電極が配置されていることを特徴とする請求項１９記載の電気光学装置。
【請求項２１】
前記平坦化膜内に形成された中継電極を備えることを特徴とする請求項２０記載の電気光学装置。
【請求項２１】
前記発光層からの光は画素電極側を経由して取り出されることを特徴とする請求項１０〜２０のいずれかに記載の電気光学装置。
【請求項２２】
請求項１０記載の電気光学装置を製造するに際し、
基体上に画素電極と画素間を隔てる隔壁と該隔壁上の導電部とを形成した後、前記隔壁により区画された領域に発光層を形成することを特徴とする電気光学装置の製造方法。
【請求項２３】
発光層の材料をインクジェット法で塗布することにより、前記発光層を形成することを特徴とする請求項２２記載の電気光学装置の製造方法。
【請求項２４】
前記隔壁の上面に凹部を形成し、この凹部内に導電部の材料をインクジェット法で塗布することにより、前記導電部を形成することを特徴とする請求項２２又は２３記載の電気光学装置の製造方法。
【請求項２５】
前記隔壁の上面を親液処理するとともに側面を撥液処理しておき、液状に調製した導電部の材料に前記隔壁の上面部を浸して該隔壁の上面に導電材料を付着させ、その後この導電材料を硬化させて導電部とすることを特徴とする請求項２２又は２３記載の電気光学装置の製造方法。
【請求項２６】
隔壁と該隔壁上の導電部とを形成するに際して、隔壁形成材料を成膜し、次に該隔壁形成材料からなる膜の上に導電材料を成膜し、次いで該導電材料からなる膜をパターニングして導電部を形成し、その後得られた前記導電部をマスクにして前記隔壁形成材料からなる膜をパターニングし、隔壁を形成することを特徴とする請求項２２又は２３記載の電気光学装置の製造方法。
【請求項２７】
前記発光層となる位置に対して、前記画素電極と前記対向電極のうちの陽極として機能する電極側に、正孔注入層又は正孔輸送層の材料をインクジェット法で塗布することにより、正孔注入層又は正孔輸送層を形成することを特徴とする請求項２２〜２６のいずれかに記載の電気光学装置の製造方法。
【請求項２８】
請求項８〜２１のいずかに記載の電気光学装置、あるいは請求項２２〜２７のいずれかに記載の製造方法によって得られた電気光学装置を用いてなる電子機器。
【請求項２９】
前記電気光学装置の光出射側に反射防止フィルムが設けられていることを特徴とする請求項２８記載の電子機器。
【手続補正２】
【補正対象書類名】明細書
【補正対象項目名】００１８
【補正方法】変更
【補正の内容】
【００１８】
また、前記電気光学装置においては、前記発光層は有機エレクトロルミネッセ
ンス材料を含むことが好ましい。
このようにすれば、電気光学装置が有機エレクトロルミネッセンス素子からな
るものとなる。
【手続補正３】
【補正対象書類名】明細書
【補正対象項目名】００２１
【補正方法】変更
【補正の内容】
【００２１】
また、前記電気光学装置においては、前記発光層の、前記画素電極と前記対向
電極のうちの陽極として機能する電極側に、正孔注入層又は正孔輸送層が設けら
れてなるのが好ましい。
このようにすれば、正孔注入層又は正孔輸送層によって発光層の発光能力が高
くなり、より良好な発光特性が得られる。
さらに、前記対向電極は、複数の材料を積層して形成されることが好ましい。
【手続補正４】
【補正対象書類名】明細書
【補正対象項目名】００２３
【補正方法】変更
【補正の内容】
【００２３】
また、前記電気光学装置においては、前記画素電極がアクティブ素子上に配置
されているのが好ましく、さらには、前記アクティブ素子上に平坦化膜が形成さ
れ、この平坦化膜上に画素電極が配置されているのが好ましい。
このようにすれば、アクティブ素子に影響されることなく画素電極を形成する
ことが可能になり、特に平坦化膜上に画素電極が配置されている場合、デザイ
ンルールの限界まで画素電極を大きくすることが可能になる。
さらに、前記平坦化膜内に形成された中継電極を備えることが好ましい。
【手続補正５】
【補正対象書類名】明細書
【補正対象項目名】００２５
【補正方法】変更
【補正の内容】
【００２５】
本発明の電気光学装置の製造方法では、請求項１０記載の電気光学装置を製造
するに際し、基体上に画素電極と画素間を隔てる隔壁と該隔壁上の導電部とを形
成した後、前記隔壁により区画された領域に発光層を形成することを特徴として
いる。
【手続補正６】
【補正対象書類名】明細書
【補正対象項目名】００３０
【補正方法】変更
【補正の内容】
【００３０】
また、前記電気光学装置の製造方法においては、隔壁と該隔壁上の導電部とを
形成するに際して、隔壁形成材料を成膜し、次に該隔壁形成材料からなる膜の上
に導電材料を成膜し、次いで該導電材料からなる膜をパターニングして導電部を
形成し、その後得られた前記導電部をマスクにして前記隔壁形成材料からなる膜
をパターニングし、隔壁を形成するのが好ましい。
このようにすれば、例えばフォトリソグラフィー工程によってパターニングを
行う場合に、このフォトリソグラフィー工程を隔壁形成と導電部の形成とでそれ
ぞれに行うことなく、１度ですませることができ、したがって工程の簡略化を図
ることができる。
【手続補正７】
【補正対象書類名】明細書
【補正対象項目名】００３１
【補正方法】変更
【補正の内容】
【００３１】
また、前記電気光学装置の製造方法においては、前記隔壁により区画された領
域に対して、前記画素電極と前記対向電極のうちの陽極として機能する電極側に
、正孔注入層又は正孔輸送層の材料をインクジェット法で塗布することにより、
正孔注入層又は正孔輸送層を形成するのが好ましい。
このようにすれば、隔壁により区画された領域に正孔注入層又は正孔輸送層の
材料を選択的に吐出し塗布することができる。また、このようにして正孔注入層
又は正孔輸送層を形成することにより、発光層の発光能を高くすることができ、
したがってより良好な発光特性を得ることができる。